(57)【要約】【課題】通信信号の設定周波数に依存することなく、放送受信回路の破損原因となる不要な高周波信号を除去することができる放送受信装置および携帯端末機を提供する。【解決手段】本発明の携帯端末機１は送信回路２および放送受信装置３を備えており、本実施形態の放送受信装置３においては、回路ブロック６の入力端と出力端との間に並列に接続されている高周波保護回路７が形成されている。高周波保護回路７においては、所定のレベル以上の高周波信号を減衰させる第１のキャパシタ８とグランド１０との接続をオン・オフに制御するスイッチング素子９が配設されており、所定のレベル以上の高周波信号が入力端子４に入力されたときに検波手段１３スイッチング素子９をオンにする。【選択図】図１
2011004046.tif 000002
【特許請求の範囲】
【請求項１】
アンテナから受信された放送信号が入力される入力端子と、
前記入力端子の後段に接続されている放送受信回路と、
前記入力端子と前記放送受信回路との間に直列に接続されている回路ブロックと、
前記回路ブロックの入力端と出力端との間に並列に接続されている高周波保護回路と
を備えており、
前記高周波保護回路は、
前記回路ブロックの出力端とグランドとの間において直列に接続されているとともに、前記入力端子から入力された所定のレベル以上の高周波信号を減衰させる第１のキャパシタと、
前記第１のキャパシタに直列に接続されているスイッチング素子と、
前記回路ブロックの入力端と並列に接続されているとともに、前記所定のレベル以上の高周波信号が前記入力端子に入力されたときに前記スイッチング素子をオンにする電流もしくは電圧を前記スイッチング素子に供給する検波手段と
を有している
ことを特徴とする放送受信装置。
【請求項２】
前記検波手段は、前記入力端子と前記スイッチング素子との間において直列に接続された検波ダイオードと、前記検波ダイオードの後段において並列に接続された平滑コンデンサとを用いて形成されており、
前記スイッチング素子は、前記検波手段から供給された電流もしくは電圧をその制御端から入力することによりオンになるスイッチング・トランジスタであり、
前記第１のキャパシタは、前記回路ブロックの出力端と前記スイッチング素子との間に接続されている
ことを特徴とする請求項１に記載の放送受信装置。
【請求項３】
前記回路ブロックは、ＳＡＷフィルタもしくはローパスフィルタまたは前記ＳＡＷフィルタおよび前記ローパスフィルタを直列接続してなるフィルタ回路であり、
前記第１のキャパシタは、前記スイッチング素子がオンになったときに前記回路ブロックにおけるカットオフ周波数が下がるような容量値に設定されている
ことを特徴とする請求項１または請求項２に記載の放送受信装置。
【請求項４】
前記検波手段は、前記入力端子と前記検波手段の入力端とを直列接続する第２のキャパシタを有している
ことを特徴とする請求項１から請求項３のいずれか１項に記載の放送受信装置。
【請求項５】
前記放送受信回路は、地上デジタル放送用受信回路である
ことを特徴とする請求項１から請求項４のいずれか１項に記載の放送受信装置。
【請求項６】
請求項１から請求項５のいずれか１項に記載の前記放送受信装置と、
前記アンテナまたはその他のアンテナから送信される通信信号を出力する送信回路と
を備えており、
前記入力端子から入力された前記所定のレベル以上の高周波信号は、前記送信回路から出力された通信信号であり、
前記第１のキャパシタは、前記通信信号の周波数帯に対して接地状態と同一または近似して取り扱うことができる程度の低いインピーダンスになるような容量値に設定されている
ことを特徴とする携帯端末機。
【発明の詳細な説明】
【技術分野】
【０００１】
本発明は、放送受信装置および携帯端末機に係り、特に、放送信号の規格が異なる両地域において使用可能な携帯電話機やそれに内蔵された放送受信装置に好適に利用できる放送受信装置および携帯端末機に関する。
【背景技術】
【０００２】
近年の携帯電話機の高機能化に伴い、図４に示すように、携帯電話機１０１には予め搭載されていた通信信号の送受信装置１０２だけでなく、地上デジタルテレビジョン放送を受信する放送受信装置１０３が搭載されることが多くなっている。
【０００３】
従来の放送受信装置１０３は、その一例として、図５に示すように、アンテナ１１２が接続される入力端子１１７と、入力端子１１７の後段に接続された放送受信回路１０６とを備えていた。放送受信回路１０６は、例えばパッケージ化されたＬＮＡ（低雑音増幅器）１０５およびチューナ回路１０７からなり、そのチューナ回路１０７は、可変増幅器１０８、ミキサ１０９、ＩＦ（中間周波数）増幅器１１０、復調器１１３、複合回路１１４、ＡＧＣ制御回路１１５、局部発振器１１６などを用いて形成されていた。
【０００４】
また、携帯電話機１０１の送信周波数帯は放送受信回路１０６の受信周波数帯に接近している場合が多い。そのため、従来の放送受信装置１０３においては、携帯電話機１０１の送信波を減衰させるためのＳＡＷフィルタやローパスフィルタなどのフィルタ回路１０４が入力端子１１７と放送受信回路１０６のチューナ回路１０７との間において直列に接続されていた。
【先行技術文献】
【特許文献】
【０００５】
【特許文献１】特開２００６−８０８７１号公報
【発明の概要】
【発明が解決しようとする課題】
【０００６】
ここで、近年の携帯電話機１０１は日本国内で生産された機種でも他国での通話に対応していることが多いため、日本国内で販売された携帯電話機１０１を海外地域に持ち出して使用する機会が多くなっている。
【０００７】
しかしながら、従来の放送受信装置１０３においては、海外において通話した際、放送受信回路１０６が破損してしまうという問題があった。破損の原因としては、海外の通信信号の周波数が日本国内のテレビジョン放送の周波数と無関係に設定されているため、放送受信回路１０６に対して海外の通信信号に用いられている高周波信号の受信を阻止するための対策をすることが困難であることや、日本国内の最大送信電力が２４ｄＢｍなのに対して海外の最大送信電力は３３ｄＢｍであって日本国内の最大送信電力よりも大きいことなどに起因していると考えられる。
【０００８】
そこで、本発明はこれらの点に鑑みてなされたものであり、通信信号の設定周波数に依存することなく、放送受信回路の破損原因となる不要な高周波信号を除去することができる放送受信装置および携帯端末機を提供することを本発明の目的としている。
【課題を解決するための手段】
【０００９】
前述した目的を達成するため、本発明の放送受信装置は、その第１の態様として、アンテナから受信された放送信号が入力される入力端子と、入力端子の後段に接続されている放送受信回路と、入力端子と放送受信回路との間に直列に接続されている回路ブロックと、回路ブロックの入力端と出力端との間に並列に接続されている高周波保護回路とを備えており、高周波保護回路は、回路ブロックの出力端とグランドとの間において直列に接続されているとともに、入力端子から入力された所定のレベル以上の高周波信号を減衰させる第１のキャパシタと、第１のキャパシタに直列に接続されているスイッチング素子と、回路ブロックの入力端と並列に接続されているとともに、所定のレベル以上の高周波信号が入力端子に入力されたときにスイッチング素子をオンにする電流もしくは電圧をスイッチング素子に供給する検波手段とを有していることを特徴としている。
【００１０】
本発明の第１の態様の放送受信装置によれば、所定のレベル以上の高周波信号が入力端子に入力されたときにスイッチング素子がオンになり、第１のキャパシタがグランドに接続されるので、所定のレベル以上の高周波信号の入力があったときのみにその高周波信号を自動的に減衰させることができる。また、回路ブロックはその入出力端の間においてインピーダンスを安定させるという性質を利用することにより、スイッチング素子に安定したスイッチ動作を行なわせることができる。
【００１１】
本発明の第２の態様の放送受信装置は、第１の態様の放送受信装置において、検波手段は、入力端子とスイッチング素子との間において直列に接続された検波ダイオードと、検波ダイオードの後段において並列に接続された平滑コンデンサとを用いて形成されており、スイッチング素子は、検波手段から供給された電流もしくは電圧をその制御端から入力することによりオンになるスイッチング・トランジスタであり、第１のキャパシタは、回路ブロックの出力端とスイッチング素子との間に接続されていることを特徴としている。
【００１２】
本発明の第２の態様の放送受信装置によれば、簡易な回路構成で好適な検波手段およびスイッチング素子を形成することができる。
【００１３】
本発明の第３の態様の放送受信装置は、第１または第２の態様の放送受信装置において、回路ブロックは、ＳＡＷフィルタもしくはローパスフィルタまたはＳＡＷフィルタおよびローパスフィルタを直列接続してなるフィルタ回路であり、第１のキャパシタは、スイッチング素子がオンになったときに回路ブロックにおけるカットオフ周波数が下がるような容量値に設定されていることを特徴としている。
【００１４】
本発明の第３の態様の放送受信装置によれば、高周波信号の電力レベルに応じてカットオフ周波数を自動的に変更することができる。
【００１５】
本発明の第４の態様の放送受信装置は、第１から第３のいずれか１の態様の放送受信装置において、検波手段は、入力端子と検波手段の入力端とを直列接続する第２のキャパシタを有していることを特徴としている。
【００１６】
本発明の第４の態様の放送受信装置によれば、高周波信号の直流成分をカットすることができる。
【００１７】
本発明の第５の態様の放送受信装置は、第１から第４のいずれか１の態様の放送受信装置において、放送受信回路は、地上デジタル放送用受信回路であることを特徴としている。
【００１８】
本発明の第５の態様の放送受信装置によれば、携帯端末機に搭載されている多くの地上デジタル放送用受信回路に対して本発明を適用することができる。
【００１９】
また、前述した目的を達成するため、本発明の携帯端末機は、その第１の態様として、前述した第１から第５のいずれか１の態様の放送受信装置と、アンテナまたはその他のアンテナから送信される通信信号を出力する送信回路とを備えており、入力端子から入力された所定のレベル以上の高周波信号は、送信回路から出力された通信信号であり、第１のキャパシタは、通信信号の周波数帯に対して接地状態と同一または近似して取り扱うことができる程度の低いインピーダンスになるような容量値に設定されていることを特徴としている。
【００２０】
本発明の第１の態様の携帯端末機によれば、所定のレベル以上の高周波信号が特定されているので、第１のキャパシタの減衰特性をより効果的に設定することができる。
【発明の効果】
【００２１】
本発明の放送受信装置および携帯端末機によれば、所定のレベル以上の高周波信号の入力があったときのみにその高周波信号が自動的に減衰されるので、通信信号の設定周波数に依存することなく、放送受信回路の破損原因となる不要な高周波信号を除去することができるという効果を奏する。
【図面の簡単な説明】
【００２２】
【図１】本発明の携帯端末機の一実施形態を示すブロック図
【図２】本実施形態の放送受信装置の一部を示す等価回路図
【図３】本実施形態の放送受信装置による減衰特性を示すグラフ
【図４】従来の携帯端末機の一例を示すブロック図
【図５】従来の放送受信装置の一例を示す等価回路図
【発明を実施するための形態】
【００２３】
以下、本発明の携帯端末機および放送受信装置をその一実施形態により説明する。
【００２４】
本実施形態の携帯端末機１は、図１に示すように、送信回路２および放送受信装置３を備えている。この送信回路２は、通信信号の送受信に好適な第１のアンテナ１１から送信される通信信号を出力するように形成されている。この送信回路２としては、携帯電話機などにおいて従来から用いられている通信用送受信回路が選択されている。
【００２５】
また、本実施形態の放送受信装置３は、入力端子４、放送受信回路５、回路ブロック６および高周波保護回路７を有している。
【００２６】
入力端子４は、放送信号の送受信に好適な第２のアンテナ１２に接続される端子である。第２のアンテナ１２から受信された放送信号はこの入力端子４から入力される。
【００２７】
放送受信回路５は、従来と同様、ＬＮＡおよびチューナ回路からなる回路であり、一般的にＩＣパッケージ化されている。この放送受信回路５、入力端子４の後段に接続されている。この放送受信回路５としては、地上デジタル放送用受信回路であることが好ましい。
【００２８】
回路ブロック６とは、ひとかたまりの回路の単位を表すものであり、入力端子４と放送受信回路５との間に直列に接続されている。この回路ブロック６としては、ＳＡＷフィルタもしくはローパスフィルタまたはＳＡＷフィルタおよびローパスフィルタを直列接続してなるフィルタ回路であることが好ましい。本実施形態の回路ブロック６としては、図２に示すように、１個のインダクタ６ａとその両側に並列接続された２個のキャパシタ６ｂ、６ｃとからなるπ型フィルタが用いられている。
【００２９】
高周波保護回路７は、図１に示すように、回路ブロック６の入力端と出力端との間に並列に接続されている。この高周波保護回路７は、図２に示すように、少なくとも、第１のキャパシタ８、スイッチング素子９および検波手段１３を有している。
【００３０】
第１のキャパシタ８は、回路ブロック６の出力端とグランド１０との間において、好ましくは回路ブロック６の出力端とスイッチング素子９との間において、直列に接続されている。そして、この第１のキャパシタ８は、少なくとも、入力端子４から入力された所定のレベル以上の高周波信号を減衰させるために好適な容量値に設定されている。
【００３１】
ここで、所定のレベル以上の高周波信号とは、本実施形態の携帯端末機１または他の携帯端末機に搭載された送信回路２から出力された通信信号を想定している。また、第１のキャパシタ８の容量値としては、例えば、所定のレベル以上の高周波信号を約＋１０ｄＢまで減衰させるような容量値が設定されている。さらに、本実施形態の放送受信装置３は、送信回路２を搭載した本実施形態の携帯端末機１に搭載することを想定している。
【００３２】
上記点をふまえ、第１のキャパシタ８は、本実施形態の送信回路２が取扱う通信信号の周波数帯に対して接地状態と同一または近似して取り扱うことができる程度の低いインピーダンスになるような容量値に設定されていることが好ましい。さらに、第１のキャパシタ８は、スイッチング素子９がオンになったときに回路ブロック６におけるカットオフ周波数が下がるような容量値に設定されていることが好ましい。
【００３３】
スイッチング素子９は、検波手段１３から供給された所定の電流もしくは電圧に応じてオンになるように形成された素子であり、図２に示すように、第１のキャパシタ８に直列（本実施形態においては第１のキャパシタ８とグランド１０との間）に接続されている。このスイッチング素子９としては、検波手段１３から供給された電流もしくは電圧をその制御端から入力することによりオンになるスイッチング・トランジスタであることが好ましい。
【００３４】
検波手段１３は、図２に示すように、所定のレベル以上の高周波信号が入力端子４に入力されたときに所定の電流もしくは電圧をスイッチング素子９に供給する回路または素子であり、回路ブロック６の入力端と並列に接続されている。所定の電流もしくは電圧とは、スイッチング素子９をオンにするのに好適な電流もしくは電圧である。
【００３５】
本実施形態において、検波手段１３は、少なくとも検波ダイオード１４および平滑コンデンサ１５を有しており、それらの他に、第２のキャパシタ１７および抵抗器１６を有していることが好ましい。検波ダイオード１４は、入力端子４とスイッチング素子９との間において直列に接続されている。この検波ダイオード１４としては、高周波整流ダイオードであることが好ましい。平滑コンデンサ１５は、検波ダイオード１４の出力端において並列に接続されている。第２のキャパシタ１７は、その結合容量値により結合度を加減して高周波保護回路７の動作電力を決定するキャパシタであり、入力端子４と検波手段１３の入力端との間に直列に接続されている。抵抗器１６は、検波手段１３から供給された電流もしくは電圧がスイッチング素子９のスイッチ動作に好適な値と比較して過剰な場合に、スイッチング素子９に供給するのに好適な値にまで制御するものであり、平滑コンデンサ１５とスイッチング素子９との間に直列に接続されている。
【００３６】
次に、本実施形態の携帯端末機１および放送受信装置３の作用を説明する。
【００３７】
本実施形態の携帯端末機１は、図１に示すように、送信回路２および放送受信装置３を備えている。また、本実施形態の放送受信装置３においては、図２に示すように、回路ブロック６の入力端と出力端との間に並列に接続されている高周波保護回路７が形成されている。そして、この高周波保護回路７においては、所定のレベル以上の高周波信号を減衰させる第１のキャパシタ８、第１のキャパシタ８とグランド１０との接続をオン・オフに制御するスイッチング素子９、および所定のレベル以上の高周波信号が入力端子４に入力されたときにスイッチング素子９をオンにする検波手段１３が配設されている。これにより、所定のレベル（例えば＋１５〜＋３３ｄＢｍ程度）以上の高周波信号が第２のアンテナ１２に入力されたときのみ、検波手段１３がスイッチング素子９をオンにし、第１のキャパシタ８がグランド１０に接続されるので、第１のキャパシタ８を介してその高周波信号の電力が接地される。その結果、所定のレベル以上の高周波信号のみが自動的に減衰されるので、放送受信回路５の破壊を招く高周波信号から放送受信回路５を保護することができる。
【００３８】
また、回路ブロック６はその入出力端の間においてインピーダンスを安定させる。そのため、回路ブロック６に高周波保護回路７を並列接続することにより、検波手段１３から供給される電圧もしくは電流が安定するので、スイッチング素子９のスイッチ動作を安定させることができる。
【００３９】
インピーダンスの安定化のための回路ブロック６としては、図２に示すように、ＳＡＷフィルタもしくはローパスフィルタまたはＳＡＷフィルタおよびローパスフィルタを直列接続してなるフィルタ回路であることが好ましい。また、高周波保護回路７の第１のキャパシタ８は、スイッチング素子９がオンになったときに回路ブロック６におけるカットオフ周波数が下がるような容量値に設定されていることが好ましい。これにより、高周波信号の電力レベルに応じてカットオフ周波数を自動的に変更することができる。
【００４０】
例えば、放送受信回路５の最大入力感度が０ｄＢｍで、第１のキャパシタ８が接地される場合に、回路ブロック６となるπ型フィルタのカットオッフ周波数をＵＨＦ帯より低い値に設定し、第１のキャパシタ８が接地された場合にＵＨＦ帯の放送信号が１５ｄＢほど減衰するように第１のキャパシタ８の容量値を設定する。これにより、図３に示すように、所定のレベル以上の高周波信号が放送受信装置３に入力されると、スイッチング素子９がオンになり、第１のキャパシタ８が接地されるので、回路ブロック６となるπ型フィルタのカットオッフ周波数を低下させることができる。その結果、第２のアンテナ１２から見た放送受信回路５の最大入力感度は＋１５ｄＢｍとなるので、放送受信回路５の最大入力感度を向上させることができる。
【００４１】
また、本実施形態の高周波保護回路７の検波手段１３においては、少なくとも検波ダイオード１４および平滑コンデンサ１５が配設されており、スイッチング素子９としてスイッチング・トランジスタが用いられていることが好ましい。また、高周波保護回路７の第１のキャパシタ８は、回路ブロック６の出力端とスイッチング素子９との間に接続されていることが好ましい。これにより、簡易な回路構成で好適な検波手段１３およびスイッチング素子９を形成することができる。
【００４２】
また、図２に示すように、この検波手段１３に対して、入力端子４と検波手段１３の入力端との間に第２のキャパシタ１７が直列に接続されていることが好ましい。これにより、第２のキャパシタ１７がカップリング・コンデンサとなるので、高周波信号の直流成分をカットするとともに、高周波保護回路７の動作電力を決定することができる。
【００４３】
そして、本実施形態の放送受信回路５は、地上デジタル放送用受信回路であることが好ましい。これにより、携帯端末機１に搭載されている多くの地上デジタル放送用受信回路に対して本実施形態の放送受信装置３を適用することができる。
【００４４】
また、本実施形態の携帯端末機１においては、本実施形態の送信回路２から出力された通信信号を所定のレベル以上の高周波信号として設定しており、第１のキャパシタ８は、通信信号の周波数帯に対して接地状態と同一または近似して取り扱うことができる程度の低いインピーダンスになるような容量値に設定されている。本実施形態の携帯端末機１のように、放送受信装置３を搭載する携帯端末機１に送信回路２が搭載されている場合、所定のレベル以上の高周波信号を特定することができるので、特定された高周波信号に応じて大きな減衰を細かく設定することができる。その結果、第１のキャパシタ８の減衰特性をより効果的に設定することができる。
【００４５】
すなわち、本実施形態の放送受信装置３および携帯端末機１によれば、所定のレベル以上の高周波信号の入力があったときのみにその高周波信号が自動的に減衰されるので、通信信号の設定周波数に依存することなく、放送受信回路５の破損原因となる不要な高周波信号を除去することができるという作用効果を奏する。
【００４６】
なお、本発明は、前述した実施形態などに限定されるものではなく、必要に応じて種々の変更が可能である。
【符号の説明】
【００４７】
１  携帯端末機
２  送信回路
３  放送受信装置
４  入力端子
５  放送受信回路
６  回路ブロック
７  高周波保護回路
８  第１のキャパシタ
９  スイッチング素子
１０  グランド
１１  第１のアンテナ
１２  第２のアンテナ
１３  検波手段
１４  検波ダイオード
１５  平滑コンデンサ
１６  抵抗器
１７  第２のキャパシタ
【図１】
2011004046.tif 000003
【図２】
2011004046.tif 000004
【図３】
2011004046.tif 000005
【図４】
2011004046.tif 000006
【図５】
2011004046.tif 000007